(57)【要約】【課題】パイプシャフト内のコンクリートスラブの上面に比べてパイプシャフトの外部の床面の方が高く設定されている場合であっても、外部からパイプシャフト内に設けられた排水設備を容易に洗浄可能にする。【解決手段】パイプシャフトＰＳの内部において上階Ａと下階Ｂとを仕切るコンクリートスラブＣＳの上面８２に比べて外部Ｋの床面８１の方が高く設定され、該高く設定された床面８１上に立設されたパイプシャフトＰＳの内部と外部Ｋとを仕切る隔壁８３には洗浄ノズル７０を挿通することのできる開口部８３ｈが設けられており、排水管継手２０の胴部の側面には排水横枝管５０が接続される横枝管受け口３２ｙと掃除口２４とが形成されており、掃除口２４は横枝管受け口３２ｙよりも高く該横枝管受け口３２ｙとは重複しない高さ位置であって隔壁８３の開口部８３ｈと対向する位置に設けられている。【選択図】図２
2010144481.tif 000002
【特許請求の範囲】
【請求項１】
複数層を有する建物のパイプシャフト内に排水立て管が配管されており、上階に配管された排水立て管と排水横枝管とを下階に配管された排水立て管に接続する排水管継手を備えた排水設備であり、
前記パイプシャフトの内部において上階と下階とを仕切るコンクリートスラブの上面に比べて前記パイプシャフトの外部の床面の方が高く設定され、該高く設定された床面上に立設された前記パイプシャフトの内部と外部とを仕切る隔壁には洗浄ノズルを挿通することのできる開口部が設けられており、前記排水管継手の胴部の側面には前記排水横枝管が接続される横枝管受け口と掃除口とが形成されており、前記掃除口は前記横枝管受け口よりも高く該横枝管受け口とは重複しない高さ位置であって前記隔壁の開口部と対向する位置に設けられていることを特徴とする排水設備。
【発明の詳細な説明】
【技術分野】
【０００１】
本発明は、排水設備に関する。より詳しくは、複数層を有する建物のパイプシャフト内に排水立て管が配管されており、上階に配管された排水立て管と排水横枝管とを下階に配管された排水立て管に接続する排水管継手を備えた排水設備に関する。
【背景技術】
【０００２】
この種の排水設備の管内洗浄に関連し、例えば、図５に示される技術がある。すなわち、マンション等の集合住宅において共用廊下Ｒに面する共用部に設けられたパイプシャフトＰＳに排水立て管９０及び排水管継手９２を配管し、該パイプシャフトＰＳ内において排水横枝管９４の途中に掃除口９６ａを有するソケット９６を介在させる技術があった。かかる技術によれば、パイプシャフトＰＳの共用廊下Ｒ側に設けられた点検扉９８を開放して共用部から操作することによって掃除口９６ａに洗浄ノズルを進入させて排水横枝管を洗浄することができる。
【０００３】
排水設備の管内洗浄に関連する別の技術として、排水管継手の胴部に予め掃除口を設けておき、この掃除口に洗浄ノズルを侵入させて管内の洗浄を行う技術もある。たとえば、本発明者は、下記特許文献１において、排水管継手の胴部の側面に掃除口を複数設けることによって、排水設備が狭小なパイプシャフトに配管されている場合であっても複数の掃除口から洗浄作業に都合の良い掃除口を選択して洗浄ノズルを進入させ、管内の洗浄を行う技術を提供している。下記特許文献１においては、洗浄作業中に排水横枝管から排水管継手に流入する排水が掃除口側に逆流するのを防ぐために掃除口の内周底部を排水横枝管の接続される横枝管受け口と略同じ高さ、あるいは高くなるようにすることも提案している。
【０００４】
【特許文献１】特開平２００７−７０９４０号公報
【発明の開示】
【発明が解決しようとする課題】
【０００５】
ところで、例えば、ディスポーザの排水は有機成分が多いため、その排水経路は排水横枝管による横引き距離を短くするために専有部の台所に設けられた狭小なパイプシャフトに排水立て管及び排水管継手が設けられる場合がある。この場合、排水管継手に掃除口を設けておき、パイプシャフトに設けられた点検口を通じて室内（台所）から排水管継手の掃除口に洗浄ノズルを挿入して管内洗浄を行うことが考えられる。かかる排水設備では、排水横枝管は台所の床下に配管されており、排水管継手の横枝管受け口は台所の床面よりも低い、パイプシャフト内のコンクリートスラブ上面に近い位置に設けられる。そのため、上記特許文献１に開示の技術のように、掃除口の配置を、逆流防止を考慮して横枝管受け口に対する相対的な位置関係で定める場合、狭小なパイプシャフト内の台所の床面よりも落ち込んだ位置に掃除口が配置されることがあり、台所の床面上からの操作によって洗浄ノズルを掃除口に挿入するのが困難な場合があった。
【０００６】
そこで、本発明が解決しようとする課題は、パイプシャフト内のコンクリートスラブの上面に比べてパイプシャフトの外部の床面の方が高く設定されている場合であっても、パイプシャフトの外部からパイプシャフト内に設けられた排水設備を容易に洗浄可能にすることにある。
【課題を解決するための手段】
【０００７】
本発明は、上記課題を解決するために以下の手段をとる。
本発明は、複数層を有する建物のパイプシャフト内に排水立て管が配管されており、上階に配管された排水立て管と排水横枝管とを下階に配管された排水立て管に接続する排水管継手を備えた排水設備であり、前記パイプシャフトの内部において上階と下階とを仕切るコンクリートスラブの上面に比べて前記パイプシャフトの外部の床面の方が高く設定され、該高く設定された床面上に立設された前記パイプシャフトの内部と外部とを仕切る隔壁には洗浄ノズルを挿通することのできる開口部が設けられており、前記排水管継手の胴部の側面には前記排水横枝管が接続される横枝管受け口と掃除口とが形成されており、前記掃除口は前記横枝管受け口よりも高く該横枝管受け口とは重複しない高さ位置であって前記隔壁の開口部と対向する位置に設けられていることを特徴とする排水設備である。
【０００８】
この排水設備においては、パイプシャフトの内部において上階と下階とを仕切るコンクリートスラブの上面に比べて外部の床面の方が高く設定されている。そして、パイプシャフトの内部と外部とは外部の床面に立設された隔壁で仕切られている。排水管継手の洗浄口は、床下を配管される排水横枝管が接続される排水管受け口よりも高く該横枝管受け口とは重複しない高さ位置であって隔壁に設けられた洗浄ノズルを挿通することのできる開口部と対向する位置に設けられている。そのため、パイプシャフトの外部から操作することによって、隔壁の開口部に挿通した洗浄ノズルを排水管継手の洗浄口から進入させることができ、容易に管内洗浄を行うことができる。
【発明の効果】
【０００９】
本発明によれば、パイプシャフト内のコンクリートスラブの上面に比べてパイプシャフトの外部の床面の方が高く設定されている場合であっても、パイプシャフトの外部からパイプシャフト内に設けられた排水設備の管内洗浄を容易に行うことが可能となる。
【発明を実施するための最良の形態】
【００１０】
［実施形態１］
以下、図１，図２を参照しながら本発明の実施形態１について説明する。
本実施形態の排水設備１１は、例えばマンション等の複数層を有する建物に設備されている。本実施形態の説明においては、複数層の連続する２階層のうち上側の階層を上階Ａ、下側の階層を下階Ｂと称する。図１に示されるように、本実施形態の排水設備１１は、排水立て管４０、排水横枝管５０及び該排水立て管４０と排水横枝管５０とを接続する排水管継手２０を主体として構成されている。
【００１１】
排水立て管４０は、住戸内に設けられたパイプシャフトＰＳ内に配管されている。パイプシャフトＰＳ内では、上階Ａと下階Ｂとを仕切るコンクリートスラブＣＳの上面８２がそのまま床面を構成している。パイプシャフトＰＳは隔壁８３により住戸の居住空間Ｋとは仕切られた空間として設けられている。パイプシャフトＰＳの外部の居住空間Ｋでは、コンクリートスラブＣＳの上面８２とは離間して床ＦＬが形成されており、該床ＦＬとコンクリートスラブＣＳとの間に排水横枝管５０を配管する床下配管スペースＵＦが設けられている。そのため、パイプシャフトＰＳ内のコンクリートスラブＣＳの上面８２よりも居住空間Ｋの床面（床ＦＬの上面）８１のほうが高く設定されている。パイプシャフトＰＳと居住空間Ｋとを仕切る隔壁８３は居住空間Ｋの床面８１に立設されており、床面８１に近い位置に点検用の開口部８３ｈが設けられている。この排水設備１１は、排水横枝管５０により床下配管スペースＵＦに導かれた、例えばディスポーザなどの排水器具（図示省略）の排水を、排水管継手２０を介して排水立て管４０に合流させて排水するものである。まず、この排水設備１１を構成する排水管継手２０について説明する。
【００１２】
＜排水管継手２０について＞
排水管継手２０は、排水立て管４０と同軸で配設されており、パイプシャフトＰＳにおいて、コンクリートスラブＣＳに貫通して設置されている。
排水管継手２０の胴部は上下分割式であり、上胴体２２と下胴体３２とから構成されている。そして、上胴体２２の下端に形成された下端フランジ２２ｆと下胴体３２の上端に形成された上部フランジ３２ｆとが、パッキン２０ｐ（図２参照）を介して水密な状態でボルト・ナット３０により同軸に接続されている。
【００１３】
下胴体３２は、胴部を構成する略筒状の胴本体３２ａとテーパ縮径部３２ｂとが上から順に連続形成されており、テーパ縮径部３２ｂの下端に胴本体３２ａよりも小径の直管形状である下端直管部３３が延設されてなる。下胴体３２はコンクリートスラブＣＳの貫通孔ＣＨに挿通された状態で、例えばモルタルにより埋め戻されてコンクリートスラブＣＳに固定されている。下胴体３２のコンクリートスラブＣＳの上面８２より突出する胴本体３２ａの側面には横枝管受け口３２ｙがコンクリートスラブＣＳの上面に近接して設けられている。この横枝管受け口３２ｙに床下配管スペースＵＦに配管された排水横枝管５０がパッキン５０ｐを介して水密に挿入接続されている。下胴体３２のコンクリートスラブＣＳより垂下した下端直管部３３には下階Ｂに配管された排水立て管４１の上部に設けられた受け口ソケット４２に挿入接続されている。
【００１４】
上胴体２２は、胴部を構成する略筒状の胴本体２２ａを有し、該胴本体２２ａの上部には排水立て管４０の下端部を挿入して接続することのできる上受け口２３が形成されている。この上受け口２３に上階Ａに配管された排水立て管４０の下端が水密に挿入接続されている。胴本体２２ａの側面には、掃除口蓋２６を備えた掃除口２４が形成されている。図２に示されるように、掃除口２４の内周壁には雌ネジ２４ａが形成されており、その雌ネジ２４ａに対して掃除口２４の扁平な円筒部の外周面に形成された雄ネジ２６ａが螺合されて掃除口２４が塞がれる構成となっている。掃除口２４は、パイプシャフトＰＳと居住空間Ｋとを仕切る隔壁８３に形成された開口部８３ｈと対向して配置されている。
【００１５】
図２に示されるように、上胴体２２の胴本体２２ａの掃除口２４の対向する内面には、掃除口２４に対して下方にずれた位置に一枚の傾斜した羽根２８が設けられている。また、下胴体３２の内面には、胴本体３２ａとテーパ縮径部３２ｂに跨って相互に交差して設けられた一対の傾斜した羽根３８が設けられている。排水管継手２０は、これらの羽根２８，３８の連携作用によって、流下する排水を減速・旋回させながら落下させることができる。
【００１６】
＜排水設備１１の洗浄について＞
まず、排水横枝管５０の好ましい洗浄方法について説明する。
図２に示されるように、排水横枝管５０を洗浄する際には、居住空間Ｋ内から操作して隔壁８３に設けられた開口部８３ｈを開放し、排水管継手２０の掃除口蓋２６を取り外して掃除口２４を開放する。次いで、開口部８３ｈを通じて掃除口２４から排水管継手２０内に案内ホース６０を挿入し、その基端部６０ａを掃除口２４の外に保持した状態で先端部６０ｂを排水横枝管５０に挿入する。案内ホース６０は、洗浄ノズル７０を挿通可能な可撓性の管体であって、例えば、ポリエチレンを蛇腹状に形成してなる。次いで、先端に洗浄ノズル７０を備えた洗浄ホース７２を案内ホース６０の基端部６０ａから挿入する。これにより、図２に符号７０（Ａ）で示されるように、洗浄ノズル７０が案内ホース６０に案内されて排水横枝管５０に導かれる。次いで、洗浄ノズル７０が案内ホース６０の先端部６０ｂから出て排水横枝管５０内に到達したら洗浄ノズル７０から高圧洗浄水を噴射して排水横枝管５０の内周面の洗浄を行う。
【００１７】
次に、排水管継手２０及び排水立て管４１の好ましい洗浄方法について説明する。
まず、図２に示されるように、排水横枝管５０を洗浄する際には、隔壁８３に設けられた開口部８３ｈを開放し、居住空間Ｋ内から操作して排水管継手２０の掃除口蓋２６を取り外して掃除口２４を開放する。次いで、図２に符号７０（Ｂ）で示されるように、掃除口２４から洗浄ノズル７０を備えた洗浄ホース７２を挿入して排水管継手２０の内部に垂らす。次いで洗浄ノズル７０から高圧洗浄水を噴射して排水立て管４０の内周面の洗浄を行う。そして、洗浄ノズル７０を更に下方へ垂らして下階Ｂの排水立て管４１の内周面の洗浄を行う。
なお、洗浄ノズル７０として前方噴射ノズル図示したが、後方噴射ノズルを用いて管内洗浄を行うこともできる。
【００１８】
以上の構成の排水設備１１によれば以下の作用効果を奏する。
排水管継手２０の掃除口２４がパイプシャフトＰＳの隔壁８３に設けられた開口部８３ｈと対向して設けられているため、パイプシャフトＰＳが狭小であっても居住空間Ｋから開口部８３ｈを通じて掃除口２４に容易に洗浄ノズル７０を挿入して管内洗浄を行うことができる。
また、掃除口２４は排水立て管４０よりも内径の大きい排水管継手２０の胴本体２２ａの側面に形成されている。そのため、管内洗浄中に排水立て管４０に沿って排水が流下したとしても該排水が掃除口２４に逆流しにくい。
また、排水立て管４０から流下した排水を減速させる羽根２８は、掃除口２４に対して下方にずれた位置に設けられているため、管内洗浄中に排水立て管４０から流下した排水が羽根２８に当って管内方に跳ねた場合でも該排水が掃除口２４から噴き出すのを防ぐことができる。
【００１９】
なお、本発明は上記の実施形態に限定されず、本発明の要旨を逸脱しない範囲内でその他種々の変更が可能である。以下の変更例の説明においては、上記実施形態１から変更を要しない部分については図中に同じ符号を付し、詳細な説明は省略する。
＜変更例１＞
例えば、排水管継手２０は、胴部が上下分割式のものに限らず、胴部が上下に分割されていない排水管継手１２０に変更しても同様の作用効果を得ることができる。図３に示されるように、排水管継手１２０の胴部１３２は、略筒状の胴本体１３２ａとテーパ縮径部１３２ｂとが上から順に連続形成されてなる。そして、テーパ縮径部１３２ｂの下端に胴本体１３２ａよりも小径の直管形状である下端直管部１３３が延設されている。胴部１３２はコンクリートスラブＣＳに挿通されており、コンクリートスラブＣＳの上面８２より突出する胴本体１３２ａの側面には横枝管受け口１３２ｙがコンクリートスラブＣＳの上面８２に近接して設けられている。この横枝管受け口１３２ｙにパッキン５０ｐを介して排水横枝管５０が挿入接続されている。胴本体１３２ａの側面には、掃除口蓋１２６を備えた掃除口１２４も設けられている。掃除口１２４は、横枝管受け口１３２ｙよりも高く、且つ横枝管受け口１３２ｙとは重複しない高さ位置において、パイプシャフトＰＳと居住空間Ｋとを仕切る隔壁８３に形成された開口部８３ｈと対向して配置されている。胴本体１３２ａの掃除口１２４の対向する内面には、横枝管受け口１３２ｙが形成されている位置よりは高いが掃除口１２４に対しては下方にずれた位置に一枚の傾斜した羽根１２８が設けられている。また、横枝管受け口１３２ｙが形成されている位置より下側の内面には、胴本体１３２ａとテーパ縮径部１３２ｂに跨って相互に交差して設けられた一対の傾斜した羽根１３８が設けられている。排水管継手１２０は、これらの羽根１２８，１３８の連携作用によって、流下する排水を減速・旋回させながら落下させることが可能となっている。
なお、この変更例１では、排水管継手１２０において羽根１２８が無いものに変更することも可能である。
【００２０】
＜変更例２＞
また、上記実施形態は、図４に示されるように、パイプシャフトＰＳが共用部に設けられている場合にも適用することができる。パイプシャフトＰＳ内においてコンクリートスラブＣＳの上面８２は、住戸Ｊ内におけるコンクリートスラブＣＳの上面８７と同レベルである。共用廊下Ｒの床面８６もコンクリートスラブＣＳで形成されているが、共用廊下ＲではコンクリートスラブＣＳが住戸Ｊ内よりも厚く形成されており、その床面８６はパイプシャフトＰＳ内のコンクリートスラブＣＳの上面８２よりも高く設定されている。そして、この相対的に高く設定された共用廊下の床面８６から立設された隔壁８４によってパイプシャフトＰＳと共用廊下Ｒとが仕切られている。この隔壁８４には、床面８６に近い下部領域を含む広範囲が開口した点検用の開口部８４ｈが形成されており、扉８５で開閉可能に閉じられている。排水管継手２０の掃除口２４は、隔壁８４に形成された開口部８４ｈに対面するように設けられている。扉８５を開いて隔壁８４の開口部８４ｈを開放すれば、共用廊下Ｒで作業することによって、掃除口２４から洗浄ノズルを挿入して管内洗浄を行うことができる。
【００２１】
以上、本発明の実施形態について説明したが、本発明は、その開示された技術思想の範囲でその他各種の実施形態とすることが可能なものである。
【図面の簡単な説明】
【００２２】
【図１】本発明の実施形態に係る排水設備の正面図である。
【図２】図１に示される排水設備の縦断面図である。
【図３】本発明の変更例１に係る排水設備の縦断面図である。
【図４】本発明の変更例２に係る排水設備の縦断面図である。
【図５】従来の排水設備の縦断面図である。
【符号の説明】
【００２３】
１１  排水設備
２０  排水管継手
２２  上胴体
２２ａ      胴本体
２４  掃除口
２６  掃除口蓋
３２ａ      胴本体
３２ｙ 横枝管受け口
４０  排水立て管
４１  排水立て管
５０  排水横枝管
６０  案内ホース
７０  洗浄ノズル
８１  床面
８２  （パイプスペース内のコンクリートスラブの）上面
８３  隔壁
８３ｈ      開口部
８４  隔壁
８４ｈ      開口部
８６  床面
１２０      排水管継手
１２４      掃除口
１２６      掃除口蓋
ＣＳ  コンクリートスラブ
ＦＬ  床
Ｊ    住戸
Ｋ    居住空間
ＰＳ  パイプシャフト
Ｒ    共用廊下
ＵＦ  床下配管スペース
【図１】
2010144481.tif 000003
【図２】
2010144481.tif 000004
【図３】
2010144481.tif 000005
【図４】
2010144481.tif 000006
【図５】
2010144481.tif 000007